(57)【特許請求の範囲】
【請求項１】
電極板を捲回して捲回軸方向の端部に金属箔積層部が形成された捲回電極群と、
該捲回電極群を捲回軸方向が横方向に延在する姿勢状態で収容する有底角形の電池缶と、
該電池缶の上方に向かって開口する開口部を閉塞し電解液を注液する注液口が開口形成された電池蓋と、を有する角形二次電池であって、
前記捲回電極群の金属箔積層部に当接して該金属箔積層部の前記電池蓋に対向する対向面部を変形させて、該対向面部に捲回軸方向外側に向かって連続する凹溝を形成する突起部を有しており、
前記凹溝は、捲回軸方向外側に移行するにしたがって断面積が漸次大きくなる形状を有していることを特徴とする角形二次電池。
【請求項２】
前記電池蓋に配置された外部端子と、該外部端子と前記捲回電極群との間を接続する集電端子と、を有し、
前記突起部は、前記集電端子に設けられていることを特徴とする請求項１に記載の角形二次電池。
【請求項３】
前記突起部は、前記集電端子の前記電池蓋側に配置したことを特徴とする請求項２に記載の角形二次電池。
【請求項４】
前記突起部は、前記集電端子の前記電池缶の側壁面側に配置したことを特徴とする請求項２に記載の角形二次電池。
【請求項５】
前記突起部の先端は、球面または楕円曲面状を有していることを特徴とする請求項１から請求項４のいずれか一項に記載の角形二次電池。
【発明の詳細な説明】
【技術分野】
【０００１】
本発明は、角形の電池缶内に扁平状の捲回電極群が収容されて該捲回電極群の上方から前記電池缶内に電解液が注液される角形二次電池に関する。
【背景技術】
【０００２】
近年、電気自動車等の動力源として、エネルギー密度の高いリチウムイオン二次電池の開発が進められている。実装密度を高めるために角形状の二次電池が盛んに実用化検討されている。角形二次電池は、一般に、深絞り法により開口部の短辺の寸法より深さ寸法を大きく形成した金属製の電池缶を有しており、電池缶の中に発電要素である捲回電極群を収容している。そして、捲回電極群よりも上方に配置された電池蓋の注液口から電池缶内に電解液が注液される(例えば、特許文献１参照)。
【０００３】
エネルギー密度の高い電池では、電池缶と捲回電極群は、絶縁保護シートを介してほぼ接している形態で配置され、電池缶と捲回電極群との間に、隙間はほとんどなく余剰空間は限定されている。
【先行技術文献】
【特許文献】
【０００４】
【特許文献１】特開2011-243559号公報
【発明の概要】
【発明が解決しようとする課題】
【０００５】
所定量の電解液を電池缶内に注入して効率よく電極を浸潤させるためには、注液口から素早く電解液を缶底へ送り込むことが必要である。
【０００６】
しかしながら、電池蓋に設けられた注液口に対して捲回電極群への進入経路は連続しておらず、注液口の真下には捲回電極群が塞ぐように配置されているため、急に電解液を入れようとすると溢れてしまうおそれがある。
【０００７】
特許文献１では電池の密閉状態を保持することに関する技術は開示されているが、捲回電極群は電解液に浸潤されたものとして記述されており、電池缶内に注液口から注液した電解液を捲回電極群へ浸潤させる方法については考慮されていない。
【０００８】
本発明は、上記の点に鑑みてなされたものであり、その目的とするところは、必要な量の電解液を電池缶内に短時間で確実に注液することができ、注液工程に必要とされる時間を短縮して、生産性を向上させることができる角形二次電池を提供することにある。
【課題を解決するための手段】
【０００９】
上記課題を解決する本発明の角形二次電池は、電極板を捲回して捲回軸方向の端部に金属箔積層部が形成された捲回電極群と、該捲回電極群を捲回軸方向が横方向に延在する姿勢状態で収容する有底角形の電池缶と、該電池缶の上方に向かって開口する開口部を閉塞し電解液を注液する注液口が開口形成された電池蓋と、を有する角形二次電池であって、前記捲回電極群の金属箔積層部に当接して該金属箔積層部の前記電池蓋に対向する対向面部を変形させて、該対向面部に捲回軸方向外側に向かって連続する凹溝を形成する突起部を有することを特徴としている。
【発明の効果】
【００１０】
本発明によれば、突起部によって捲回電極群の金属箔積層部の対向面部に形成された凹溝を電解液の流路として、電池蓋と捲回電極群との間に形成される上方空間部から捲回電極群の捲回軸方向の端部と該端部に対向する電池缶の縦壁面との間の隙間空間部に電解液を積極的に導くことができる。したがって、電解液を電池缶の上部から缶底に迅速に流れ込ませることができ、電解液の注液速度を高めることができる。したがって、電解液の溢れを防止して、電池缶内部への注液時間を短縮でき、角形二次電池の生産性を向上させることができる。
【図面の簡単な説明】
【００１１】
【図１】第１実施の形態に係わる角形二次電池の分解斜視図。
【図２】捲回電極群の一例を示す斜視図。
【図３】第１実施の形態に係わる角形二次電池を正面側から示す断面模式図。
【図４】第１実施の形態に係わる角形二次電池を負極側の側面から示す断面模式図。
【図５】負極端子の構造を説明する分解斜視図。
【図６】蓋組立体を負極側の側面から示す模式図。
【図７】第２実施の形態に係わる角形二次電池の負極側の側面から示す断面模式図。
【図８】蓋組立体を負極側の側面から示す模式図。
【発明を実施するための形態】
【００１２】
以下、図面を参照して、本発明をハイブリット車用の角形リチウムイオン二次電池に適用した実施の形態について説明する。
【００１３】
＜第１実施の形態＞
本実施の形態における角形二次電池の特徴のひとつは、捲回電極群の金属箔積層部に当接して金属箔積層部の電池蓋に対向する対向面部を変形させて、捲回軸方向先端側に向かって連続する凹溝を形成する突起部を設けたことである。
【００１４】
図１は、本実施の形態に係わる角形二次電池の分解斜視図であり、本発明を適用する角形二次電池の一例である。
【００１５】
角形二次電池Ｃ１は、図１に示すように、電池容器を構成する電池缶２０および電池蓋１を備えている。電池缶２０は、開口部２０ａの短辺の寸法よりも深さ寸法を大きく形成した深絞り形状を有しており、長方形の底壁部ＰＢと、底壁部ＰＢの各辺で折曲されて立ち上がる４枚の縦壁部を有している。これら４枚の縦壁部は、底壁部ＰＢの各長辺で折曲されて対峙する一対の幅広面壁部ＰＷと、底壁部ＰＢの各短辺で折曲されて対峙する一対の幅狭面壁部ＰＮとからなる。
【００１６】
電池缶２０内には、捲回型の発電要素である捲回電極群６が捲回軸方向を電池缶２０の開口部に平行収納されている。捲回電極群６は、絶縁シート２１を介して電池缶２０内に収容されている。捲回電極群６は、その捲回軸方向が横方向に延在する姿勢状態で電池缶２０に収容されており、捲回軸方向両側の端面が電池缶２０の各幅狭面壁部ＰＮに対向して配置され、扁平厚さ方向両側の平面部分が電池缶２０の各幅広面壁部ＰＷに対向して配置されている。捲回電極群６は、電池缶２０に圧入が必要な程度に平面部分と電池缶２０の幅広面壁部ＰＷとの間が密接されている。
【００１７】
電池缶２０の開口部２０ａは、電池蓋１によって封止されている。電池蓋１は、電池缶２０の開口部２０ａに対応する外周輪郭を有する平板形状を有しており、電池缶２０にレーザー溶接等されて電池缶２０の開口部２０ａを封止している。
【００１８】
電池蓋１には、電池内圧が上昇したときに予め設定された圧力で開裂し、ガスを外部放出するためのガス排出弁２５が設けられている。ガス排出弁２５は、電池蓋１の長辺方向中央位置に配置されている。ガス排出弁２５は、電池蓋１と同一の金属材料またはその合金で構成した薄膜部材であり、レーザー溶接等により蓋１に接合されている。尚、プレス加工等により、電池蓋１と一体で形成されることもある。
【００１９】
電池缶２０と電池蓋１とで構成される内部空間には、後述する捲回電極群６と絶縁シート２１と電解液が収納されている。電解液は、電池蓋１に予め設けられた注液口２２から注液される。注液口２２は、ガス排出弁２５に対して電池蓋１の長辺方向に偏位した位置に配置されており、本実施の形態では、負極端子４１側に偏位した位置に配置されている。注液口２２は、電解液を注液した後、電池内部を密閉するために、注液栓２３が取り付けられて、レーザー溶接等により電池蓋１に接合される。
【００２０】
図２は、捲回電極群の一例を示す斜視図である。
捲回電極群６は、図２に示すように、セパレータ６Ｃ、負極板６Ｄ、セパレータ６Ｃ、正極板６Ｅの順に重ねられて捲回され、扁平状に押し潰されて成形された扁平捲回構造を有している。捲回開始端部にはセパレータが巻かれており、捲回終了端部にもセパレータが１周以上捲回されて電極上に形成された活物質合剤層が露出しないように覆われている。さらに巻き解けを防止するために、図２の下側に配されたセパレータ６Ｃの捲回終了端が予め片面に粘着剤が塗着されたテープ（不図示）で止められている。
【００２１】
正極板６Ｅは、アルミニウム合金箔（正極集電体）の両面に、正極活物質として、例えば、マンガン・ニッケル・コバルト酸リチウム等のリチウム含有遷移金属複合酸化物を含む正極合剤が略均等かつ略均一に塗着（塗工）されており、両面とも長手方向に沿う一側に正極合剤が未塗工の正極金属箔露出部（正極集電箔部）６Ａが形成されている。一方、負極板６Ｄは、銅合金箔（負極集電体）の両面に、負極活物質として、リチウムイオンを吸蔵、放出可能な黒鉛を主体とする炭素材を含む負極合剤が略均等かつ略均一に塗着されており、両面とも長手方向に沿う一側に負極合剤が未塗工の負極金属箔露出部（負極集電箔部）６Ｂが形成されている。セパレータ６Ｃは、リチウムイオンが通過可能な微多孔性シート材で構成されており、一般的には１５〜３０μｍ厚のセパレータが好適に用いられており、本例では、２０μｍ厚のポリエチレンシートを基材とする多孔性シート材が用いられている。また、セパレータ６Ｃは、そのどちらか一方または両方の表面に絶縁性を高めるためにセラミック粒子層を付着させた多孔性シート材が用いられることがある。
【００２２】
捲回電極群６は、捲回軸方向一方側に正極金属箔露出部６Ａのみが積層された正極金属箔積層部６Ｆが形成され、捲回軸方向他方側に負極金属箔露出部６Ｂのみが積層された負極金属箔積層部６Ｇが形成されている。捲回電極群６は、溶接強度を持たせてかつ電気抵抗を抑制するために、正極金属箔積層部６Ｆ、負極金属箔積層部６Ｇの各平面部分で扁平厚さ方向に一つに束ねられて、後述する正極端子１５、負極端子１６の集電端子３２、４２に導通接続される。金属箔積層部６Ｆ、６Ｇの接合部は、例えば超音波溶接（USW）などの方法で集電端子３２、４２に溶接接合される。
【００２３】
本実施の形態の角形二次電池Ｃ１は、電池缶２０及び電池蓋１が極性を持たない中性である。電池蓋１には、正極端子１５と負極端子１６が配設されている。正極端子１５及び負極端子１６は、電池蓋１の長辺方向一方側と他方側の互いに離れた位置に配置されている。正極端子１５は、アルミニウム合金で作製され、負極端子１６は、銅合金で作製されている。
【００２４】
図３は、本実施の形態に係わる角形二次電池を正面側から示す断面模式図、図４は、本実施の形態に係わる角形二次電池を負極側の側面から示す断面模式図、図５は、負極端子の構造を説明する分解斜視図、図６は、蓋組立体を負極側の側面から示す模式図である。
【００２５】
なお、正極端子１５と負極端子１６は、ほぼ同様の構成を有しているので、図４〜図６では、負極端子１６の構成を示し、正極端子１５の構成については、図面に対応する符号を付することで図示を省略する。
【００２６】
正極端子１５と負極端子１６は、図３に示すように、電池蓋１の表面側に配置される外部端子３１、４１と、電池蓋１の裏面側で捲回電極群６に導通接続される集電端子３２、４２と、電池蓋１の貫通孔１ａ（図５を参照）を貫通して外部端子３１、４１と集電端子３２、４２との間を導通接続する接続端子３３、４３と、を有している。
【００２７】
外部端子３１、４１には、電池蓋１から上方に向かって突出するように固定ネジ３１ａ、４１ａが設けられている。外部端子３１、４１は、電池蓋１との間に絶縁板３５、４５が介在されており、電池蓋１から絶縁されている。集電端子３２、４２は、電池蓋１の裏面側に沿って平行に配置される基部３２ａ、４２ａと、基部３２ａ、４２ａの側端で折曲されて電池蓋１から離反する方向に向かって延出する端子部３２ｂ、４２ｂを有している。端子部３２ｂ、４２ｂは、電池缶２０の幅広面壁部ＰＷに沿って缶底である底壁部ＰＢに向かって延出している。
【００２８】
接続端子３３、４３は、下端が集電端子３２、４２の基部３２ａ、４２ａに一体に固定されており、基部３２ａ、４２ａから上方に向かって所定高さ位置まで突出している。そして、ガスケット３６、４６（図５を参照）を間に介在させて、電池蓋１の貫通孔１ａに挿通されており、上端が外部端子３１、４１にかしめ固定されている。
【００２９】
角形二次電池の組み立ては、まず、正極端子１５と負極端子１６を電池蓋１に取り付けて、蓋組立体を組み立てる。次いで、蓋組立体の正極端子１５の集電端子３２と負極端子１６の集電端子４２との間に、捲回電極群６を挿入し、集電端子３２の端子部３２ｂと捲回電極群６の正極金属箔積層部６Ｆの平面部分、および、集電端子４２の端子部４２ｂと捲回電極群６の負極金属箔積層部６Ｇの平面部分をそれぞれ溶接接合して、発電要素組立体を組み立てる。
【００３０】
それから、発電要素組立体の捲回電極群６を正極端子１５、負極端子１６の集電端子３２、４２ごと外側から絶縁シート２１で覆い、電池缶２０に挿入し、電池缶２０の開口部２０ａを電池蓋１で閉塞する。そして、電池蓋１を電池缶２０にレーザー溶接して電池缶２０の開口部２０ａを密閉封口する。そして、注液口２２から電池缶２０内に所定量の電解液を注液し、その後、注液栓２３で注液口２２を密閉封止する。
【００３１】
次に、本実施の形態における特徴的な構成について説明する。
図３および図４は、捲回電極群６の上部に非導電性の突起部３７、４７で形成される凹みの状態を模式的に示している。
【００３２】
正極端子１５、負極端子１６は、捲回電極群６の上部に捲回軸方向外側に向かって連続する凹溝６Ｊ、６Ｋ（図１を参照）を形成するための突起部３７、４７を有している。突起部３７、４７は、図６に示すように、集電端子３２、４２の電池蓋１側である基部３２ａ、４２ａに設けられている。そして、図３および図４に示すように、捲回電極群６の正極金属箔積層部６Ｆ、負極金属箔積層部６Ｇに当接して、正極金属箔積層部６Ｆ、負極金属箔積層部６Ｇの電池蓋１に対向する対向面部（蓋側湾曲部）を変形させて、対向面部に捲回軸方向外側に向かって連続する凹溝６Ｊ、６Ｋを形成している。
【００３３】
突起部３７、４７は、正極金属箔積層部６Ｆ、負極金属箔積層部６Ｇの蓋側湾曲部に対向する位置で且つ正極金属箔積層部６Ｆ、負極金属箔積層部６Ｇの蓋側湾曲部のうち最も上方に突出した最上部分に当接する位置に設けられている。
【００３４】
突起部３７、４７の先端は、球面または楕円曲面状に加工されており、捲回電極群６の正極金属箔積層部６Ｆ、負極金属箔積層部６Ｇに当接したときに、正極金属箔露出部６Ａ、負極金属箔露出部６Ｂを傷つけることのないような形状を有している。突起部３７、４７は、絶縁体からなり、材質として、ポリプロピレン、ポリエチレン、ナイロン、ＰＦＡ、ＰＴＦＥなどの電解液と反応しにくい樹脂を用いることができる。また、樹脂の代わりに、集電端子３２、４２と同種の材料、つまり、正極集電端子３２はアルミニウム合金、負極集電端子４２は銅合金からなり、プレス成型等の方法で先端が曲面である凸部を形成したあとに、捲回電極群６に接触する部分をセラミック等の絶縁材料で被覆して構成することもできる。
【００３５】
突起部３７、４７は、集電端子３２、４２の所定の位置に嵌め込むことによって取り付けられている。本実施の形態では、突起部３７、４７の基端に設けられたピン部３７ａ、４７ａを、集電端子３２、４２の基部３２ａ、４２ａに穿設された貫通孔に挿通して、貫通孔から突出したピン部３７ａ、４７ａの先端を加熱変形させることによって、かしめ固定している。
【００３６】
凹溝６Ｊ、６Ｋは、正極金属箔積層部６Ｆ、負極金属箔積層部６Ｇの捲回軸方向内側の端部から捲回軸方向外側の端部までに亘って連続して形成されている。凹溝６Ｊ、６Ｋは、捲回軸方向外側に移行するにしたがって断面積が漸次大きくなる形状を有している。
【００３７】
注液口２２から電池缶２０内に注液された電解液は、捲回電極群６と電池蓋１との間に形成される上方空間部に流れ込み、図３に電解液の流れを破線で示すように、捲回電極群６の蓋側湾曲部の上面を捲回軸方向に沿って一方側と他方側に向かって流れる。そして、電池缶２０の幅狭面壁部ＰＮ（縦壁面）に衝突して、幅狭面壁部ＰＮの内面に沿って底壁部ＰＢに向かって流れ落ちる。そして、缶底に一定量の電解液が貯留されると、捲回電極群６の捲回軸方向両側の開口端部および捲回された巻き芯部分から捲回電極群６の内部に含浸される。
【００３８】
捲回電極群６は、電池缶２０に圧入が必要な程度に平面部分と電池缶２０の幅広面壁部ＰＷとの間が密接されている。したがって、電解液の流路は、捲回電極群６の捲回軸方向の端部と、その端部に対向する電池缶２０の縦壁部との間の隙間空間部に限定されている。特に、捲回電極群６の蓋側湾曲部が最も電池缶２０の縦壁部に密接しており、従来は、電解液が流れ込む時のボトルネックになっていた。
【００３９】
本実施の形態では、捲回電極群６の集電端子３２、４２に突起部３７、４７を設けて、捲回電極群６の金属箔積層部６Ｆ、６Ｇの蓋側湾曲部に押し付けて部分的に凹みを生じさせて、凹溝６Ｊ、６Ｋを形成している。
【００４０】
したがって、金属箔積層部６Ｆ、６Ｇの蓋側湾曲部まで到達した電解液を、凹溝６Ｊ、６Ｋに流れ込ませて、凹溝６Ｊ、６Ｋを流路とし、電池蓋１と捲回電極群６との間に形成される上方空間部から捲回電極群６の捲回軸方向の端部とその端部に対向する電池缶２０の幅狭面壁部ＰＮ（縦壁面）との間の隙間空間部に電解液を円滑に導くことができる。
【００４１】
隙間空間部は、捲回電極群６の金属箔積層部６Ｆ、６Ｇの平面部分が束ねられているため、電池缶２０の縦壁部との間に比較的広い空間を有している。したがって、凹溝６Ｊ、６Ｋによって捲回電極群６の蓋側湾曲部と電池缶２０の幅狭面壁部ＰＮとの間を通過させることによって、後は電解液を缶底まで円滑に流れ込ませることができる。
【００４２】
捲回電極群６の缶底側湾曲部と蓋側湾曲部は、捲回軸方向外側に向かって開放されているので、電池缶２０内における電解液の液面レベルの上昇により、これら二つの湾曲部から捲回電極群６内に電解液を円滑に含浸させることができ、捲回電極群６へ浸潤性は高められる。
【００４３】
電解液は、捲回電極群６の上部に設けられた凹溝６Ｊ、６Ｋに沿って直ちに電池缶２０の下部に到達し、電池缶２０と捲回電極群６との間に設けられた空隙に溜まっていく。そして、電池缶２０の内部に溜まった電解液は、捲回電極群６の開放部分を通じて捲回電極群６の内部に電解液が含浸していくことになる。
【００４４】
凹溝６Ｊ、６Ｋによって電解液を直ちに電池缶２０内の空隙に流れ込ませることにより、所定量の電解液を電池缶２０内に注液しやすくなり、注液工程を効率化することが可能となる。そして、注液口２２から電解液が溢れて注液口２２に付着するのを防ぐことができ、注液栓２３をレーザー溶接して注液口２２を封止した場合の溶接不良を抑制し、歩留まりがよくなる。
【００４５】
上記した構成を有する角形二次電池Ｃ１によれば、突起部３７、４７によって捲回電極群６の金属箔積層部６Ｆ、６Ｇの蓋側湾曲部に形成された凹溝６Ｊ、６Ｋを電解液の流路として、電池蓋１と捲回電極群６との間に形成される上方空間部から捲回電極群６の捲回軸方向の端部とその端部に対向する電池缶２０の幅狭面壁部ＰＮとの間の隙間空間部に電解液を積極的に導くことができる。したがって、電解液を電池缶２０の上部から缶底に迅速に流れ込ませることができ、電解液の注液速度を高めることができる。したがって、電解液の溢れを防止して、電池缶２０内部への注液時間を短縮でき、角形二次電池Ｃ１の生産性を向上させることができる。
【００４６】
なお、本実施の形態では、正極端子１５と負極端子１６の両方に突起部３７、４７を設ける場合を例に説明したが、正極端子１５と負極端子１６のいずれか一方に設ける構成としてもよい。
【００４７】
＜第２実施の形態＞
次に、本発明の第２実施の形態について図７、図８を用いて説明する。
図７は、第２実施の形態に係わる角形二次電池の負極側の側面から示す断面模式図、図８は、蓋組立体を負極側の側面から示す模式図である。なお、第１実施の形態と同様の構成要素には同一の符号を付することでその詳細な説明を省略する。
【００４８】
本実施の形態において特徴的なことは、捲回電極群６の金属箔積層部６Ｆ、６Ｇのうち、蓋側湾曲部の側面部に凹溝６Ｍ、６Ｎを形成するために、突起部３８、４８を集電端子３２、４２の幅広面壁部ＰＷ側である端子部３２ｂ、４２ｂに設けた構成としたことである。
【００４９】
突起部３８、４８は、図７および図８に示すように、集電端子３２、４２の端子部３２ｂ、４２ｂから電池缶２０の厚さ方向に突出している。そして、捲回電極群６の正極金属箔積層部６Ｆ、負極金属箔積層部６Ｇに当接して、正極金属箔積層部６Ｆ、負極金属箔積層部６Ｇの電池蓋１に対向する蓋側湾曲部を変形させて、蓋側湾曲部に捲回軸方向外側に向かって連続する凹溝６Ｍ、６Ｎを形成している。
【００５０】
突起部３８、４８は、正極金属箔積層部６Ｆ、負極金属箔積層部６Ｇの蓋側湾曲部に対向する位置で且つ正極金属箔積層部６Ｆ、負極金属箔積層部６Ｇの蓋側湾曲部の下部に当接する位置に設けられている。突起部３８、４８の形状、材質、固定方法等については、第１実施の形態における突起部３７、４７と同様であるので、説明を省略する。
【００５１】
凹溝６Ｍ、６Ｎは、正極金属箔積層部６Ｆ、負極金属箔積層部６Ｇの捲回軸方向内側の端部から捲回軸方向外側の端部までに亘って連続して形成されている。凹溝６Ｍ、６Ｎは、捲回軸方向外側に移行するにしたがって断面積が漸次大きくなる形状を有している。
【００５２】
注液口２２から電池缶２０内に注液された電解液は、捲回電極群６と電池蓋１との間に形成される上方空間部に流れ込み、捲回電極群６の蓋側湾曲部の上面を捲回軸方向に沿って一方側と他方側に向かって流れる。そして、金属箔積層部６Ｆ、６Ｇの上部まで到達すると、その一部を凹溝６Ｊ、６Ｋに流れ込ませて、凹溝６Ｊ、６Ｋを流路とし、電池蓋１と捲回電極群６との間に形成される上方空間部から捲回電極群６の捲回軸方向の端部とその端部に対向する電池缶２０の幅狭面壁部ＰＮとの間の隙間空間部に円滑に導かれる。凹溝６Ｍ、６Ｎによって捲回電極群６の蓋側湾曲部と電池缶２０の幅狭面壁部ＰＮとの間に電解液を積極的に通過させることによって、後は電解液を缶底まで円滑に流れ込ませることができる。
【００５３】
したがって、電解液を電池缶２０の上部から缶底に迅速に流れ込ませることができ、電解液の注液速度を高めることができる。したがって、電解液の溢れを防止して、電池缶２０内部への注液時間を短縮でき、角形二次電池Ｃ１の生産性を向上させることができる。
【００５４】
なお、本実施の形態では、蓋側湾曲部の両側の側面部のうち、一方の側面部だけ押さえて金属箔積層部６Ｆ、６Ｇにそれぞれ一つの凹溝６Ｊ、６Ｋを形成する場合を例に説明したが、集電端子４２が捲回電極群６の金属箔積層部６Ｆ、６Ｇを扁平厚さ方向両側から挟みこむような一対の端子部を有する構成の場合は、これら一対の端子部にそれぞれ突起部３８、４８を設けて、蓋側湾曲部の両側の側面部を押さえて、金属箔積層部６Ｆ、６Ｇにそれぞれ二つの凹溝６Ｊ、６Ｋを形成してもよい。
【００５５】
また、本実施の形態では、正極端子１５と負極端子１６の両方に突起部３８、４８を設ける場合を例に説明したが、正極端子１５と負極端子１６のいずれか一方に設ける構成としてもよい。
【００５６】
以上、本発明の実施形態について詳述したが、本発明は、前記の実施形態に限定されるものではなく、特許請求の範囲に記載された本発明の精神を逸脱しない範囲で、種々の設計変更を行うことができるものである。例えば、前記した実施の形態は本発明を分かりやすく説明するために詳細に説明したものであり、必ずしも説明した全ての構成を備えるものに限定されるものではない。また、ある実施形態の構成の一部を他の実施形態の構成に置き換えることが可能であり、また、ある実施形態の構成に他の実施形態の構成を加えることも可能である。さらに、各実施形態の構成の一部について、他の構成の追加・削除・置換をすることが可能である。
【符号の説明】
【００５７】
１  電池蓋
６  捲回電極群
６Ｄ  負極板（電極板）
６Ｅ  正極板（電極板）
６Ｆ、６Ｇ  金属箔積層部
６Ｊ、６Ｋ  凹溝
２０  電池缶
２０ａ  開口部
２２  注液口
３１、４１  外部端子
３２  ４２  集電端子
３２ａ、４２ａ、基部
３２ｂ、４２ｂ  端子部
３７、４７  突起部
Ｃ１  角形二次電池
【図１】
0005805010.tif 000002
【図２】
0005805010.tif 000003
【図３】
0005805010.tif 000004
【図４】
0005805010.tif 000005
【図５】
0005805010.tif 000006
【図６】
0005805010.tif 000007
【図７】
0005805010.tif 000008
【図８】
0005805010.tif 000009